(57)【要約】【課題】液晶層が局所的に厚くなることを回避する。【解決手段】調光ユニット２０は、第１積層体３０と、第２積層体４０と、第１積層体３０と第２積層体４０との間に配置された液晶層２５と、第１積層体３０と第２積層体４０との間に配置された複数のビーズスペーサ５０と、を備える。第１積層体３０は、第１樹脂基材３１と、第１樹脂基材３１に積層された第１配向膜３３と、を有する。第２積層体４０は、第２樹脂基材４１と、第２樹脂基材４１に積層された第２配向膜４３と、を有する。第１配向膜３３と第２配向膜４３とが互いに対面するように配置される。液晶層２５は、第１積層体３０及び第２積層体４０の少なくとも一方に設けられた電極への電圧の印加により配向が制御される液晶分子を含む。ビーズスペーサ５０は、第１配向膜３３に固着した第１ビーズスペーサ５１と、第２配向膜４３に固着した第２ビーズスペーサ５２と、第１配向膜３３及び第２配向膜４３のいずれにも固着していない自由ビーズスペーサ５３と、を含む。【選択図】図３
2020030288.tif 000002
【特許請求の範囲】
【請求項１】
第１樹脂基材と、前記第１樹脂基材に積層された第１配向膜と、を有する第１積層体と、
第２樹脂基材と、前記第２樹脂基材に積層された第２配向膜と、を有し、且つ、前記第１配向膜と前記第２配向膜とが互いに対面するように配置された、第２積層体と、
前記第１積層体と前記第２積層体との間に配置され、前記第１積層体及び前記第２積層体の少なくとも一方に設けられた電極への電圧の印加により配向が制御される液晶分子を含む液晶層と、
前記第１積層体と前記第２積層体との間に配置された複数のビーズスペーサと、を備え、
前記ビーズスペーサは、前記第１配向膜に固着した第１ビーズスペーサと、前記第２配向膜に固着した第２ビーズスペーサと、前記第１配向膜及び前記第２配向膜のいずれにも固着していない自由ビーズスペーサと、を含む、調光ユニット。
【請求項２】
前記ビーズスペーサの個数に対する前記自由ビーズスペーサの個数の割合は、０．１％以上５．０％以下である、請求項１に記載の調光ユニット。
【請求項３】
前記第１配向膜は、前記液晶層側に突出した複数の第１凸部を含み、
前記第１凸部の少なくとも一部は、前記第１ビーズスペーサを少なくとも部分的に取り囲んで当該第１ビーズスペーサを保持し、
前記第２配向膜は、前記液晶層側に突出した複数の第２凸部を含み、
前記第２凸部の少なくとも一部は、前記第２ビーズスペーサを少なくとも部分的に取り囲んで当該第２ビーズスペーサを保持し、
前記第１ビーズスペーサを保持する前記第１凸部の突出高さ及び前記第２ビーズスペーサを保持する前記第２凸部の突出高さの少なくとも一方は、０．２μｍ以上０．５μｍ未満である、請求項１または２に記載の調光ユニット。
【請求項４】
前記第１配向膜は、前記液晶層側に突出した複数の第１凸部を含み、
前記第１凸部の少なくとも一部は、前記第１ビーズスペーサを少なくとも部分的に取り囲んで当該第１ビーズスペーサを保持し、
前記第２配向膜は、前記液晶層側に突出した複数の第２凸部を含み、
前記第２凸部の少なくとも一部は、前記第２ビーズスペーサを少なくとも部分的に取り囲んで当該第２ビーズスペーサを保持し、
前記第１ビーズスペーサを保持する前記第１凸部以外の前記第１凸部の突出高さ及び前記第２ビーズスペーサを保持する前記第２凸部以外の前記第２凸部の突出高さの少なくとも一方は、０．２μｍ以上０．５μｍ未満である、請求項１乃至３のいずれか一項に記載の調光ユニット。
【請求項５】
前記ビーズスペーサの直径〔μｍ〕に対する、前記第１ビーズスペーサを保持する前記第１凸部の突出高さ〔μｍ〕の比及び前記第２ビーズスペーサを保持する前記第２凸部の突出高さ〔μｍ〕の比の少なくとも一方は、２．２％以上５．５％未満である、請求項３または４に記載の調光ユニット。
【請求項６】
前記第１配向膜の厚さ及び前記第２配向膜の厚さの少なくとも一方は、６０ｎｍ以上１５０ｎｍ以下である、請求項１乃至５のいずれか一項に記載の調光ユニット。
【請求項７】
一対の基板と、
前記一対の基板の間に配置された請求項１乃至６のいずれか一項に記載の調光ユニットと、を備える、調光部材。
【発明の詳細な説明】
【技術分野】
【０００１】
本発明は、調光ユニット、調光ユニットを有する調光部材に関する。
【背景技術】
【０００２】
従来、例えば特許文献１，２に記載されているような、光の透過率を制御することができる調光部材が知られている。調光部材の光の透過率の調節方式として、特許文献１，２に示すような、液晶を利用する方式が知られている。液晶を利用する方式の調光部材は、簡素に構成可能であり、非常に高い遮光性能を確保することができる。
【０００３】
このような調光部材において、液晶は、２つの配向膜の間に配置される。各配向膜は、透明な基材に積層される。液晶は、透明基材の間に所定の大きさのスペーサが配置されることで、液晶層の厚さを所望の厚さに維持することができる。スペーサとしては、取り扱い性の観点から、球状のビーズスペーサが用いられることが多い。
【先行技術文献】
【特許文献】
【０００４】
【特許文献１】特許第６２１３６５３号公報
【特許文献２】特開２０１８−１７７７５号公報
【発明の概要】
【発明が解決しようとする課題】
【０００５】
組み立て効率の観点から、一対の基材の組み立て前に、あらかじめビーズスペーサを各基材の配向膜に固着させておくことが検討されている。ところで、各配向膜に固着したビーズスペーサが、平面視において調光部材の同一の位置に配置されることがある。すなわち、平面視においてビーズスペーサが重なってしまう可能性がある。ビーズスペーサが重なっていると、その部分において液晶層が厚くなってしまう。すなわち、液晶層の厚さが局所的に厚くなってしまう。液晶層が局所的に厚くなっていると、その部分において局所的な光学特性の差異を生じ、調光部材を介した視界を悪化させる可能性がある。
【０００６】
本発明は、以上の点を考慮してなされたものであり、液晶層が局所的に厚くなることを回避することを目的とする。
【課題を解決するための手段】
【０００７】
本発明の調光ユニットは、
第１樹脂基材と、前記第１樹脂基材に積層された第１配向膜と、を有する第１積層体と、
第２樹脂基材と、前記第２樹脂基材に積層された第２配向膜と、を有し、且つ、前記第１配向膜と前記第２配向膜とが互いに対面するように配置された、第２積層体と、
前記第１積層体と前記第２積層体との間に配置され、前記第１積層体及び前記第２積層体の少なくとも一方に設けられた電極への電圧の印加により配向が制御される液晶分子を含む液晶層と、
前記第１積層体と前記第２積層体との間に配置された複数のビーズスペーサと、を備え、
前記ビーズスペーサは、前記第１配向膜に固着した第１ビーズスペーサと、前記第２配向膜に固着した第２ビーズスペーサと、前記第１配向膜及び前記第２配向膜のいずれにも固着していない自由ビーズスペーサと、を含む。
【０００８】
本発明の調光ユニットにおいて、前記ビーズスペーサの個数に対する前記自由ビーズスペーサの個数の割合は、０．１％以上５．０％以下であってもよい。
【０００９】
本発明の調光ユニットにおいて、
前記第１配向膜は、前記液晶層側に突出した複数の第１凸部を含み、
前記第１凸部の少なくとも一部は、前記第１ビーズスペーサを少なくとも部分的に取り囲んで当該第１ビーズスペーサを保持し、
前記第２配向膜は、前記液晶層側に突出した複数の第２凸部を含み、
前記第２凸部の少なくとも一部は、前記第２ビーズスペーサを少なくとも部分的に取り囲んで当該第２ビーズスペーサを保持し、
前記第１ビーズスペーサを保持する前記第１凸部の突出高さ及び前記第２ビーズスペーサを保持する前記第２凸部の突出高さの少なくとも一方は、０．２μｍ以上０．５μｍ未満であってもよい。
【００１０】
本発明の調光ユニットにおいて、
前記第１配向膜は、前記液晶層側に突出した複数の第１凸部を含み、
前記第１凸部の少なくとも一部は、前記第１ビーズスペーサを少なくとも部分的に取り囲んで当該第１ビーズスペーサを保持し、
前記第２配向膜は、前記液晶層側に突出した複数の第２凸部を含み、
前記第２凸部の少なくとも一部は、前記第２ビーズスペーサを少なくとも部分的に取り囲んで当該第２ビーズスペーサを保持し、
前記第１ビーズスペーサを保持する前記第１凸部以外の前記第１凸部の突出高さ及び前記第２ビーズスペーサを保持する前記第２凸部以外の前記第２凸部の突出高さの少なくとも一方は、０．２μｍ以上０．５μｍ未満であってもよい。
【００１１】
本発明の調光ユニットにおいて、前記ビーズスペーサの直径〔μｍ〕に対する、前記第１ビーズスペーサを保持する前記第１凸部の突出高さの比及び前記第２ビーズスペーサを保持する前記第２凸部の突出高さ〔μｍ〕の比の少なくとも一方は、２．２％以上５．５％未満であってもよい。
【００１２】
本発明の調光ユニットにおいて、前記第１配向膜の厚さ及び前記第２配向膜の厚さの少なくとも一方は、６０ｎｍ以上１５０ｎｍ以下であってもよい。
【００１３】
本発明の調光部材は、
一対の基板と、
前記一対の基板の間に配置された上述したいずれかの調光ユニットと、を備える。
【発明の効果】
【００１４】
本発明によれば、液晶層が局所的に厚くなることを回避することができる。
【図面の簡単な説明】
【００１５】
【図１】図１は、調光部材を備えた移動体の一例としての自動車を概略的に示す斜視図である。
【図２】図２は、調光部材をその板面の法線方向から示す平面図である。
【図３】図３は、図２のＩＩＩ―ＩＩＩ線に沿った調光部材の断面図である。
【図４】図４は、調光部材の一部を拡大して示した平面図である。
【図５】図５は、調光部材の製造方法の一例を説明するための図である。
【図６】図６は、調光部材の製造方法の一例を説明するための図である。
【図７】図７は、調光部材の製造方法の一例を説明するための図である。
【図８】図８は、調光部材の製造方法の一例を説明するための図である。
【図９】図９は、調光部材の製造方法の一例を説明するための図である。
【発明を実施するための形態】
【００１６】
以下、図面を参照して一実施の形態について説明する。なお、本件明細書に添付する図面においては、図示と理解のしやすさの便宜上、適宜縮尺および縦横の寸法比等を、実物のそれらから変更し誇張してある。
【００１７】
なお、本明細書において、「層」、「シート」及び「フィルム」の用語は、呼称の違いのみに基づいて互いから区別されるものではない。例えば「層」という用語は、シート或いはフィルムと呼ばれ得るような部材も含む概念である。
【００１８】
また、「板面（シート面、フィルム面）」とは、対象となる板状（シート状、フィルム状）の部材を全体的かつ大局的に見た場合において対象となる板状部材（シート状部材、フィルム状部材）の平面方向と一致する面のことを指す。
【００１９】
さらに、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２０】
図１には、調光部材を備えた移動体の一例としての自動車を概略的に示す図である。図２は、調光部材をその板面の法線方向から見た図である。図３は、図２のＩＩＩ−ＩＩＩ線に沿った調光部材の断面を示す図である。図４は、調光部材の一部を拡大して示す平面図である。
【００２１】
図１に示されているように、移動体の一例としての自動車１は、サンルーフ、リアウィンドウ、サイドウィンドウ等の窓ガラスを有している。ここでは、サンルーフ５が調光部材１０で構成されているものを例示する。また、自動車１は、図示しないバッテリー等の電源を有している。調光部材１０は、電圧を印加されることで、可視光透過率を変化させることができる。例えば、調光部材１０は、可視光透過率を７０％から１％の間で変化させることができる。調光部材１０の可視光透過率を適宜に調節することで、太陽光等の外光を適切な光量で透過させることができる。また、調光部材１０で外光を遮蔽することもできる。
【００２２】
ここで、可視光透過率は、分光光度計（（株）島津製作所製「ＵＶ−３１００ＰＣ」、ＪＩＳ  Ｋ  ０１１５準拠品）を用いて測定波長３８０ｎｍ〜７８０ｎｍの範囲内で測定したときの、各波長における透過率の平均値として特定される。
【００２３】
図２は、この調光部材１０をその板面の法線方向から示している。また、図３は、図２の調光部材１０のＩＩＩ−ＩＩＩ線に対応する断面図を示している。図２及び図３に示された例では、調光部材１０は、一対の基板である第１基板１１及び第２基板１２と、第１基板１１と第２基板１２との間に配置された調光ユニット２０と、第１基板１１と調光ユニット２０とを接合する第１接合層１３と、第２基板１２と調光ユニット２０とを接合する第２接合層１４と、を有している。また、調光部材１０は、外部の電源と接続するための配線１５を有している。配線１５を介して、電源から調光部材１０に電圧を印加することができる。図２に示されるように、調光部材１０は、平面視において、平板状の矩形形状を有しているが、調光部材１０は、湾曲していてもよい。調光部材１０は、適用されるものに応じた形状及び大きさを、適宜にとることができる。
【００２４】
以下、調光部材１０の各構成要素について説明する。
【００２５】
まず、第１基板１１及び第２基板１２について説明する。第１基板１１及び第２基板１２は、図１で示された例のように自動車１のサンルーフ５に用いる場合、調光部材１０が外光を遮蔽しない状態で外光を十分に透過させることができるよう、可視光透過率が高いもの、例えば可視光透過率が９０％以上のものを用いることが好ましい。このような第１基板１１及び第２基板１２の材質としては、ソーダライムガラスや青板ガラス等の無機ガラスや、ポリカーボネートやアクリル等の樹脂ガラスが例示できる。第１基板１１及び第２基板１２に無機ガラスを用いた場合、耐熱性、耐傷性に優れた調光部材１０とすることができる。第１基板１１及び第２基板１２に樹脂ガラスを用いた場合、調光部材１０を軽量にすることができる。
【００２６】
また、第１基板１１及び第２基板１２は、１ｍｍ以上５ｍｍ以下の厚みを有していることが好ましい。このような厚みであると、強度及び光学特性に優れた第１基板１１及び第２基板１２を得ることができる。第１基板１１及び第２基板１２は、同一の材料で同一に構成されていてもよいし、或いは、材料および構成の少なくとも一方において互いに異なるようにしてもよい。
【００２７】
次に、第１接合層１３及び第２接合層１４について説明する。第１接合層１３が、第１基板１１と調光ユニット２０との間に配置され、第１基板１１と調光ユニット２０とを互いに接合する。第２接合層１４が、第２基板１２と調光ユニット２０との間に配置され、第２基板１２と調光ユニット２０とを互いに接合する。
【００２８】
このような第１接合層１３及び第２接合層１４としては、種々の接着性または粘着性を有した材料からなる層を用いることができる。また、第１接合層１３及び第２接合層１４は、可視光透過率が高いものを用いることが好ましい。典型的な接合層としては、ポリビニルブチラール（ＰＶＢ）からなる層を例示することができる。あるいは、接合層は、ＥＶＡ（エチレン・酢酸ビニル共重合体）、ＣＯＰ（シクロオレフィンポリマー）等からなる層であってもよい。第１接合層１３及び第２接合層１４の厚みは、それぞれ０．１５ｍｍ以上１．５ｍｍ以下であることが好ましい。第１接合層１３及び第２接合層１４は、同一の材料で同一に構成されていてもよいし、或いは、材料および構成の少なくとも一方において互いに異なるようにしてもよい。
【００２９】
なお、調光部材１０には、図示された例に限られず、特定の機能を発揮することを期待されたその他の機能層が設けられても良い。また、１つの機能層が２つ以上の機能を発揮するようにしてもよいし、例えば、調光部材１０の第１基板１１及び第２基板１２、第１接合層１３及び第２接合層１４、後述する調光ユニット２０の第１積層体３０及び第２積層体４０の、少なくとも一つに何らかの機能を付与するようにしてもよい。調光部材１０に付与され得る機能としては、一例として、反射防止（ＡＲ）機能、耐擦傷性を有したハードコート（ＨＣ）機能、赤外線遮蔽（反射）機能、紫外線遮蔽（反射）機能、防汚機能等を例示することができる。
【００３０】
次に、調光ユニット２０について説明する。調光ユニット２０は、可撓性を有するフィルム状に形成されている。調光ユニット２０は、電圧を印加されることで、可視光透過率を変化させることができる。すなわち、調光ユニット２０は、調光部材１０に調光機能を付与している。調光ユニット２０は、第１積層体３０及び第２積層体４０と、第１積層体３０及び第２積層体４０の間に配置された液晶層２５と、第１積層体３０及び第２積層体４０の間に配置されたビーズスペーサ５０と、を有している。また、調光ユニット２０は、第１積層体３０及び第２積層体４０の間において液晶層２５を取り囲むシール材２７を有している。
【００３１】
第１積層体３０は、第１樹脂基材３１と、第１樹脂基材３１に積層された第１配向膜３３と、第１樹脂基材３１と第１配向膜３３との間に配置された第１電極３７と、を有している。同様に、第２積層体４０は、第２樹脂基材４１と、第２樹脂基材４１に積層された第２配向膜４３と第２樹脂基材４１と第２配向膜４３との間に配置された第２電極４７と、を有している。第１積層体３０及び第２積層体４０は、第１配向膜３３と第２積層体４０の第２配向膜４３とが互いに対面するように、配置されている。
【００３２】
第１樹脂基材３１は、第１配向膜３３及び第１電極３７を適切に支持するための部材である。同様に、第２樹脂基材４１は、第２配向膜４３及び第２電極４７を適切に支持するための部材である。第１樹脂基材３１及び第２樹脂基材４１の材料は、可撓性を有し、可視光透過率が高いものを用いることが好ましい。このような第１樹脂基材３１及び第２樹脂基材４１としては、トリアセチルセルロース（ＴＡＣ）等のアセチルセルロース系樹脂、ポリエチレンテレフタレート（ＰＥＴ）、ポリエチレンナフタレート（ＰＥＮ）等のポリエステル系樹脂、ポリエチレン（ＰＥ）、ポリプロピレン（ＰＰ）、ポリスチレン、ポリメチルペンテン、ＥＶＡ等のポリオレフィン系樹脂、ポリ塩化ビニル、ポリ塩化ビニリデン等のビニル系樹脂、アクリル系樹脂、ポリウレタン系樹脂、ポリサルホン（ＰＥＦ）、ポリエーテルサルホン（ＰＥＳ）、ポリカーボネート（ＰＣ）、ポリスルホン、ポリエーテル（ＰＥ）、ポリエーテルケトン（ＰＥＫ）、（メタ）アクロニトリル、シクロオレフィンポリマー（ＣＯＰ）、シクロオレフィンコポリマー等の樹脂を例示することができ、特に、ポリカーボネート、シクロオレフィンポリマー、ポリエチレンテレフタレート等の樹脂が好ましい。第１樹脂基材３１及び第２樹脂基材４１の可視光透過率は９０％以上であることが好ましい。また、第１樹脂基材３１及び第２樹脂基材４１は、例えばポリエチレンテレフタレートの場合、３０μｍ以上２５０μｍ以下の厚みを有していることが好ましい。このような厚みであると、強度及び光学特性に優れた第１樹脂基材３１及び第２樹脂基材４１を得ることができる。第１樹脂基材３１及び第２樹脂基材４１は、同一の材料で同一に構成されていてもよいし、或いは、材料および構成の少なくとも一方において互いに異なるようにしてもよい。
【００３３】
第１配向膜３３及び第２配向膜４３は、液晶層２５に隣接する層であって、液晶層２５中の液晶分子の配向を規制する。第１配向膜３３及び第２配向膜４３の製造方法は、特に限定されない。任意の手法によって液晶配向能を有する第１配向膜３３及び第２配向膜４３を作製することができる。例えば、ポリイミド等の樹脂層に対してラビング処理を施すことで第１配向膜３３及び第２配向膜４３が作製されてもよいし、高分子膜に直線偏光紫外線を照射して偏光方向の高分子鎖を選択的に反応させる光配向法に基づいて第１配向膜３３及び第２配向膜４３が作製されてもよい。このようなラビング処理による第１配向膜３３及び第２配向膜４３に代えて、ラビング処理により製造した微細なライン状凹凸形状を賦型処理により製造して第１配向膜３３及び第２配向膜４３を作製してもよい。また、後述する液晶層２５にＧＨ方式を用いる場合、ラビング処理がされていなくともよい。
【００３４】
第１配向膜３３の厚さＴは、例えば６０ｎｍ以上１５０ｎｍ以下となっている。同様に、第２配向膜４３の厚さＴは、例えば６０ｎｍ以上１５０ｎｍ以下となっている。なお、第１配向膜３３の厚さ及び第２配向膜４３の厚さは、それぞれ、全体の傾向を反映し得ると考えられる数の測定位置（例えば三十点）における第１配向膜３３の厚さの平均及び第２配向膜４３の厚さの平均として特定することができる。とりわけ後述する製造方法で作製され且つここで説明する具体的な構成を有する第１配向膜３３の厚さ及び第２配向膜４３の厚さは、三十点の測定値の平均値によって、特定することができる。第１配向膜３３及び第２配向膜４３の厚さは、後述する第１凸部３５及び第２凸部４５を除いた部分、具体的には第１凸部３５及び第２凸部４５から６μｍ以上離間した部分のある点において、測定される。第１配向膜３３及び第２配向膜４３の厚さは、例えば第１積層体３０及び第２積層体４０の断面を走査電子顕微鏡（ＳＥＭ）によって撮像した画像から測定することができる。
【００３５】
図３に示すように、第１配向膜３３は、液晶層２５側に突出した複数の第１凸部３５を含んでいる。図３に示すように、第１凸部３５の少なくとも一部は、ビーズスペーサ５０の一部である第１ビーズスペーサ５１を少なくとも部分的に取り囲んで、当該第１ビーズスペーサ５１を保持している。第１凸部３５が第１ビーズスペーサ５１を保持することで、第１配向膜３３に第１ビーズスペーサ５１が固着されている。第１凸部３５のうち第１ビーズスペーサ５１を保持していない他の一部の第１凸部３５は、図４に示すように、平面視において周状パターンの少なくとも一部を線状に延びている。図４に示した例では、第１ビーズスペーサ５１を保持していない第１凸部３５は、平面視において周状パターンの全体に延びている。
【００３６】
同様に、第２配向膜４３は、液晶層２５側に突出した複数の第２凸部４５を含んでいる。図３に示すように、第２凸部４５の少なくとも一部は、ビーズスペーサ５０の一部である第２ビーズスペーサ５２を少なくとも部分的に取り囲んで、当該第２ビーズスペーサ５２を保持している。第２凸部４５が第２ビーズスペーサ５２を保持することで、第２配向膜４３に第２ビーズスペーサ５２が固着されている。第２凸部４５のうち第２ビーズスペーサ５２を保持していない他の一部の第２凸部４５は、平面視において周状パターンの少なくとも一部を線状に延びている。
【００３７】
第１ビーズスペーサ５１を保持する第１凸部３５の突出高さＨａは、０．２μｍ以上０．５μｍ未満となっている。同様に、第２ビーズスペーサ５２を保持する第２凸部４５の突出高さＨａは、０．２μｍ以上０．５μｍ未満となっている。また、第１ビーズスペーサ５１を保持しない第１凸部３５の突出高さ、すなわち第１ビーズスペーサ５１を保持する第１凸部３５以外の第１凸部３５の突出高さＨｂは、０．２μｍ以上０．５μｍ未満となっている。同様に、第２ビーズスペーサ５２を保持しない第２凸部４５、すなわち第２ビーズスペーサ５２を保持する第２凸部４５以外の第２凸部４５の突出高さＨｂは、０．２μｍ以上０．５μｍ未満となっている。ここで、第１凸部３５及び第２凸部４５の突出高さは、それぞれ、全体の傾向を反映し得ると考えられる数（例えば三十個）の第１凸部３５及び第２凸部４５の突出高さの平均として特定することができる。各第１凸部３５及び第２凸部４５の突出高さは、第１凸部３５及び第２凸部４５の最高点における突出高さ（厚さ）によって規定される。とりわけ後述する製造方法で作製され且つここで説明する具体的な構成を有する第１凸部３５の突出高さ及び第２凸部４５の突出高さは、三十点の測定値の平均値によって、特定することができる。第１凸部３５の突出高さ及び第２凸部４５の突出高さＨａ，Ｈｂは、例えば走査型白色干渉計（Ｚｙｇｏ  Ｃｏｒｐｏｒａｔｉｏｎ製「Ｚｙｇｏ」）にて測定することができる。
【００３８】
第１電極３７及び第２電極４７には、例えば、酸化錫系、酸化インジウム系、酸化亜鉛系の透明な金属薄膜を適用することができる。酸化錫（ＳｎＯ２）系の例としてはネサ（酸化錫ＳｎＯ２）、ＡＴＯ（Antimony Tin Oxide：アンチモンドープ酸化錫）、フッ素ドープ酸化錫が挙げられる。酸化インジウム（Ｉｎ２Ｏ３）系の例としては、酸化インジウム、ＩＴＯ（Indium Tin Oxide：インジウム錫酸化物）、ＩＺＯ（Indium Zinc Oxide）が挙げられる。酸化亜鉛（ＺｎＯ）系の例としては、酸化亜鉛、ＡＺＯ（アルミドープ酸化亜鉛）、ガリウムドープ酸化亜鉛が挙げられる。本実施の形態では、第１電極３７及び第２電極４７は、ＩＴＯによって透明電極として形成される。第１電極３７及び第２電極４７の配置態様は特に限定されず、パターニング形成によって所定箇所にのみ電極が配置されてもよいし、ベタ状に電極が配置されてもよい。第１電極３７及び第２電極４７に印加される電圧に応じて、第１電極３７及び第２電極４７との間に配置される液晶層２５に作用する電界が形成され、液晶層２５に含まれる液晶分子の配向が制御される。第１電極３７及び第２電極４７の可視光透過率は、例えば５０％以上であることが好ましい。第１電極３７及び第２電極４７の厚さは、例えば５０μｍ以上２００μｍ以下である。
【００３９】
液晶層２５は、例えばＶＡ（Ｖｅｒｔｉｃａｌ  Ａｌｉｇｎｍｅｎｔ）方式、ＴＮ（Ｔｗｉｓｔｅｄ  Ｎｅｍａｔｉｃ）方式、ＩＰＳ（Ｉｎ  Ｐｌａｎｅ  Ｓｗｉｔｃｈｉｎｇ）方式またはＦＦＳ（Ｆｒｉｎｇｅ  Ｆｉｅｌｄ  Ｓｗｉｔｃｈｉｎｇ）方式、ＧＨ（Ｇｕｅｓｔ  Ｈｏｓｔ）方式を用いることができる。本実施の形態では、一例として、液晶層２５は、ＧＨ方式を用いている。ＧＨ方式を用いる場合、液晶層２５は、液晶分子と、二色性色素組成物と、を含んでいる。
【００４０】
配線１５を介して電極３７，４７の少なくとも一方に電圧を印加することにより、電界が形成され、電界の作用により、液晶層２５の液晶分子の配向を変化させることができる。液晶分子の配向によって、液晶層２５を透過する光の偏光方向は変化し得る。例えば、ＧＨ方式の液晶を用いる場合、電圧が印加されていない状態では、液晶分子及び二色性色素組成物が第１配向膜３３及び第２配向膜４３に対して垂直に並び、光が透過する。電圧が印加されるにつれて、液晶分子及び二色性色素組成物が第１配向膜３３及び第２配向膜４３に対して垂直から水平になっていき、可視光透過率が減少する。電圧が十分に印加されている状態では、液晶分子及び二色性色素組成物が第１配向膜３３及び第２配向膜４３に対して水平に並び、光を遮光する。このように、調光ユニット２０は、電圧の印加の制御により液晶層２５の液晶分子の配向を変化させ、可視光透過率を調節することができる。
【００４１】
液晶層２５の厚さは、例えば６μｍ以上９μｍ以下である。液晶層２５の厚さは、ビーズスペーサ５０によって確保された第１積層体３０と第２積層体４０との間のスペースの大きさに等しい。ここで、液晶層２５の厚さは、全体の傾向を反映し得ると考えられる数の測定位置（例えば三十点）における液晶層２５の厚さの平均として特定することができる。とりわけ後述する製造方法で作製され且つここで説明する具体的な構成を有する液晶層２５の厚さは、三十点の測定値の平均値によって特定することができる。また、液晶層２５の厚さは、調光ユニット２０全体で、ほぼ一定となっている。なお、液晶層２５の厚さがほぼ一定であるとは、例えば、三十個のビーズスペーサ５０の直径の最大値と最小値との差が、０．１μｍ以下であることを意味する。
【００４２】
シール材２７は、図２に示すように、液晶層２５を周状に取り囲んでいる。すなわち、このシール材２７が、液晶層２５を区画している。また、シール材２７は、図３に示すように、第１積層体３０及び第２積層体４０の間に設けられている。シール材２７は、液晶層２５を構成する液晶分子が第１積層体３０及び第２積層体４０の間から漏出することを防ぐ役割を果たしているとともに、第１積層体３０及び第２積層体４０に接着して両者を相互に固定する役割を果たしている。シール材２７は、例えば、エポキシ樹脂、アクリル樹脂等の熱硬化性樹脂や紫外線硬化性樹脂等から形成することができる。
【００４３】
ビーズスペーサ５０は、第１積層体３０と第２積層体４０との間に配置され、第１積層体３０と第２積層体４０との間にスペースを確保している。このスペースに液晶分子を含む液晶材料が充填されることで、液晶層２５が形成されている。上述した液晶層２５は、透過光の位相変調量を制御するものであり、したがって、第１積層体３０と第２積層体４０との間で或る程度一定の厚さを有していることが求められる。このため、ビーズスペーサ５０は、球形であることが好ましい。ビーズスペーサ５０の直径は、例えば６μｍ以上９μｍ以下となっている。ここで、ビーズスペーサ５０の直径は、全体の傾向を反映し得ると考えられる個数（例えば三十個）のビーズスペーサの直径の平均として特定することができる。とりわけ、ここで説明するビーズスペーサ５０の直径は、三十個の測定値の平均値として特定することができる。
【００４４】
また、ビーズスペーサ５０の直径〔μｍ〕に対する、第１ビーズスペーサ５１を保持する第１凸部３５の突出高さ〔μｍ〕の比及び第２ビーズスペーサ５２を保持する第２凸部４５の突出高さ〔μｍ〕の比は、２．２％以上５．５％未満であることが好ましい。上述したように、ビーズスペーサ５０の直径〔μｍ〕は、全体の傾向を反映し得ると考えられる十分な個数の平均値として特定することができ、第１凸部３５の突出高さも、全体の傾向を反映し得ると考えられる十分な個数の平均値として特定することができる。
【００４５】
なお、ビーズスペーサ５０の直径は、例えば、動的光散乱法、レーザー回折法によって測定することができる。
【００４６】
また、平面視におけるビーズスペーサ５０の面密度は、例えば３０〔個／ｍｍ２〕以上１６０〔個／ｍｍ２〕以下となっている。なお、ビーズスペーサが調光ユニット２０の全体に均一に分散している場合、ビーズスペーサの面密度は、調光ユニット２０のある領域（例えば１ｍｍ角）に含まれるビーズスペーサ５０の個数を数えることで、規定することができる。とりわけ後述する製造方法で作製される調光ユニット２０におけるビーズスペーサ５０の面密度は、１ｍｍ角に含まれるビーズスペーサ５０の個数によって規定することができる。なお、ビーズスペーサ５０が凝集している場合、すなわち複数のビーズスペーサ５０が塊となっている場合、ビーズスペーサ５０の凝集体すなわちビーズスペーサ５０の塊を１個のビーズスペーサ５０として個数を数える。
【００４７】
複数のビーズスペーサ５０は、第１積層体３０と第２積層体４０との間に、離散的に配置されている。ビーズスペーサ５０は、シリカ等による無機材料、有機材料、またはこれらを組み合わせたコアシェル構造によって形成されている。
【００４８】
ビーズスペーサ５０は、第１配向膜３３に固着された第１ビーズスペーサ５１と、第２配向膜４３に固着された第２ビーズスペーサ５２と、第１配向膜３３及び第２配向膜４３のいずれにも固着していない自由ビーズスペーサ５３と、を含んでいる。言い換えると、第１積層体３０と第２積層体４０との間に配置されたビーズスペーサ５０の個数は、第１配向膜３３に固着された第１ビーズスペーサ５１の個数と第２配向膜４３に固着された第２ビーズスペーサ５２との個数の和よりも、多くなっている。第１ビーズスペーサ５１は、第１凸部３５に少なくとも部分的に取り囲まれて保持されることで、第１配向膜３３に固着している。同様に、第２ビーズスペーサ５２は、第２凸部４５に少なくとも部分的に取り囲まれて保持されることで、第２配向膜４３に固着している。
【００４９】
第１ビーズスペーサ５１が第１配向膜３３に固着しており、第２ビーズスペーサ５２が第２配向膜４３に固着している。すなわち、液晶層２５において、第１ビーズスペーサ５１は第１配向膜３３に対する移動が規制され、第２ビーズスペーサ５２は第２配向膜４３に対する移動が規制されている。このため、第１ビーズスペーサ５１及び第２ビーズスペーサ５２の移動により、液晶層２５に気泡等が生じてしまい、調光部材１０を介した視界を悪化させることを防止することができる。一方、自由ビーズスペーサ５３は、液晶層２５において移動可能となっている。つまり、自由ビーズスペーサ５３は、第１ビーズスペーサ５１及び第２ビーズスペーサ５２に対して移動可能となっている。さらに言い換えると、自由ビーズスペーサ５３は、第１配向膜３３及び第２配向膜４３に対して移動可能となっている。
【００５０】
ビーズスペーサ５０全体の個数に対する自由ビーズスペーサ５３の個数の割合は、０．１％以上５．０％以下であることが好ましい。自由ビーズスペーサ５３は、後述する調光ユニット２０の製造工程において、第１配向膜３３または第２配向膜４３に固着していたビーズスペーサ５０が脱落することで、生成される。
【００５１】
ビーズスペーサ５０全体の個数に対する自由ビーズスペーサ５３の個数の割合は、例えば、全体の傾向を反映し得ると考えられる調光ユニット２０の一部の領域（例えば１ｍｍ角）におけるビーズスペーサ５０個数及び自由ビーズスペーサ５３の個数を数えることにより、規定することができる。とりわけ後述する製造方法で作製される調光ユニット２０におけるビーズスペーサ５０全体の個数に対する自由ビーズスペーサ５３の割合は、１ｍｍ角に含まれるビーズスペーサ５０個数及び自由ビーズスペーサ５３の個数により、規定することができる。
【００５２】
自由ビーズスペーサ５３の個数は、ビーズスペーサ５０の第１配向膜３３または第２配向膜４３からの脱落跡の個数に等しい。ビーズスペーサ５０の脱落跡とは、ビーズスペーサ５０が脱落して残された第１凸部３５または第２凸部４５であり、第１ビーズスペーサ５１を保持していない第１凸部３５及び第２ビーズスペーサ５２を保持していない第２凸部４５のことを意味する。例えば、図４に示すように、平面視において周状パターンの少なくとも一部を線状に延びて観察される第１凸部３５が、ビーズスペーサ５０の脱落跡である。なお、図４に示されたビーズスペーサ５０の脱落跡としての第１凸部３５は、周状パターンの全長に沿って延びている。
【００５３】
なお、ビーズスペーサ５０以外にも、第１積層体３０と第２積層体４０との間には、柱状のスペーサ等が配置されていてもよい。柱形状のスペーサは、フォトリソグラフィ技術やスクリーン印刷を利用して所望の位置に形成することができる。
【００５４】
次に、調光部材１０及び調光ユニット２０の製造方法の一例について、図５乃至図９を参照しながら、説明する。
【００５５】
まず、図５に示すように、ビーズスペーサ５０が均一に分散した第２板材４０ａを用意する。第２板材４０ａは、トリミングされることで第２積層体４０を形成するようになる部材である。ビーズスペーサ５０が均一に分散した第２板材４０ａは、例えば次のようにして作製することができる。まず、第２樹脂基材４１上に第２電極４７をスパッタリング等により成膜する。次に、ビーズスペーサ５０が第２電極４７上に散布される。その後、第２配向膜４３をなすようになる組成物を第２樹脂基材４１上に塗布する。このとき、第２配向膜４３をなすようになる組成物の粘性やビーズスペーサ５０と第２配向膜４３をなすようになる組成物との表面張力により、第２凸部４５をなすようになる第２裾野部４５ａがビーズスペーサ５０と第２樹脂基材４１との間に形成される。なお、第２配向膜４３をなすようになる組成物中にビーズスペーサ５０を分散させ、ビーズスペーサ５０を含有した組成物を第２樹脂基材４１上に塗布するようにしてもよい。その後、乾燥炉において組成物を揮発させて、乾燥させる。次に、ラビングや光配向等によって配向規制力を塗膜に付与し、第２配向膜４３を形成する。以上によって、ビーズスペーサ５０を散布された第２板材４０ａが得られる。
【００５６】
第２配向膜４３をなすようになる組成物が乾燥することで、第２裾野部４５ａが固まって第２凸部４５となる。第２凸部４５は、ビーズスペーサ５０を保持するようになる。第２凸部４５がビーズスペーサ５０を確実に保持することができるよう、第２凸部４５の突出高さは、０．２μｍ以上と十分に高くなっている。また、ビーズスペーサ５０の直径〔μｍ〕に対する、第２ビーズスペーサ５２を保持する第２凸部４５の突出高さ〔μｍ〕の比は、２．２％以上となっている。第２凸部４５に保持されたビーズスペーサ５０が、第２配向膜４３に固着した第２ビーズスペーサ５２となる。
【００５７】
なお、第２配向膜４３をなすようになる組成物に含まれるポリイミド等の量を調節することで、当該組成物の粘度を調節することができる。これにより、第２裾野部４５ａの高さを調節することができる。すなわち、第２裾野部４５ａから形成される第２凸部４５の高さを調節することができる。
【００５８】
次に、図６に示すように、シール材料２７ａを周状に塗布する。シール材料２７ａは、接着性または粘着性を有した粘稠性液体材料である。シール材料２７ａは、硬化することでシール材２７を形成するようになる。その後、図７に示すように、シール材料２７ａで取り囲まれた第２板材４０ａ上の領域に、液晶分子を含んだ液晶材料２５ａを供給する。
【００５９】
次に、図８に示すように、減圧下で、ビーズスペーサ５０が均一に分散した第１板材３０ａを第２板材４０ａ上に積層する。第１板材３０ａを第２板材４０ａ上に積層する際、ローラー等を用いてしごくようにしてもよい。第１板材３０ａは、トリミングされることで第１積層体３０を形成するようになる部材であって、例えば第２板材４０ａと同様の工程で作製することができる。すなわち、第１板材３０ａは、まず、第１樹脂基材３１上に第１電極３７を成膜し、第１電極３７上にビーズスペーサ５０が散布され、次に、第１配向膜３３をなすようになる組成物を第１樹脂基材３１上に塗布して乾燥炉において揮発させ、その後に配向規制力を塗膜に付与することで、第１配向膜３３を作製することで、作製され得る。なお、既に説明した第２板材４０ａと同様に、第１配向膜３３をなすようになる組成物中にビーズスペーサ５０を分散させ、ビーズスペーサ５０を含有した組成物を第１樹脂基材３１上に塗布するようにしてもよい。第１配向膜３３には、第１凸部３５が形成されており、第１凸部３５は、ビーズスペーサ５０を保持するようになる。第１凸部３５に保持されたビーズスペーサ５０が、第１配向膜３３に固着した第１ビーズスペーサ５１となる。
【００６０】
第１板材３０ａを第２板材４０ａ上に積層させる際に、第１ビーズスペーサ５１と第２ビーズスペーサ５２とが重なって位置している場合、当該第１ビーズスペーサ５１及び第２ビーズスペーサ５２には圧力がかかる。この圧力によって、重なって位置する第１ビーズスペーサ５１及び第２ビーズスペーサ５２の少なくとも一方が、対応する配向膜３３，４３から剥がれて脱落する。第１ビーズスペーサ５１及び第２ビーズスペーサ５２が重なった際にこのようなビーズスペーサの脱落が生じるよう、ビーズスペーサの配向膜への固着の程度が調整されている。具体的には、第１凸部３５の突出高さ及び第２凸部４５の突出高さが、０．５μｍ未満と十分に低くなっている。また、ビーズスペーサ５０の直径〔μｍ〕に対する第１ビーズスペーサ５１を保持する第１凸部３５の突出高さ〔μｍ〕の比及びビーズスペーサ５０の直径〔μｍ〕に対する第２ビーズスペーサ５２を保持する第２凸部４５の突出高さ〔μｍ〕の比が、５．５％未満となっている。
【００６１】
脱落したビーズスペーサ５０は、第１凸部３５及び第２凸部４５のいずれにも保持されていない。すなわち、脱落したビーズスペーサ５０は、第１配向膜３３及び第２配向膜４３のいずれにも固着していない自由ビーズスペーサ５３となる。
【００６２】
ビーズスペーサ５０が脱落した跡には、脱落跡として、ビーズスペーサ５０から離間した第１凸部３５または第２凸部４５が残される。ビーズスペーサ５０の脱落跡としての第１凸部３５または第２凸部４５は、図４に示すように、平面視において、ビーズスペーサ５０を保持していた形状である周状パターンの少なくとも一部を線状に延びる形状となっている。
【００６３】
第１板材３０ａと第２板材４０ａとの間のビーズスペーサ５０によって確保されたスペースに充填された液晶材料２５ａが液晶層２５となる。その後、紫外線照射及び加熱処理によりシール材料２７ａが変形および硬化してシール材２７となり、第１板材３０ａ及び第２板材４０ａを接合する。以上の工程によって、第１板材３０ａと、第２板材４０ａと、第１板材３０ａと第２板材４０ａとの間に配置された液晶層２５と、を含んでいる積層体が準備される。
【００６４】
次に、第１板材３０ａ及び第２板材４０ａの一部を切断して余分な領域である第１板材３０ａ及び第２板材４０ａの外周を取り除く、すなわち第１板材３０ａ及び第２板材４０ａをトリミングする。この切断は、少なくとも一部においてシール材２７上で実施されることが好ましい。第１板材３０ａ及び第２板材４０ａのトリミングは、打ち抜き刃やカッター等からなる工具を用いることで実施され得る。このようにして、第１板材３０ａが第１積層体３０となり、第２板材４０ａが第２積層体４０となることで、調光ユニット２０が得られる。
【００６５】
最後に、図９に示すように、調光ユニット２０の第１積層体３０の側に第１接合層１３及び第１基板１１を積層して、調光ユニット２０と第１基板１１とを接合する。同様に、調光ユニット２０の第２積層体４０の側に第２接合層１４及び第２基板１２を積層して、調光ユニット２０と第２基板１２とを接合する。これにより、図３に示した調光部材１０が作製される。
【００６６】
ところで、従来の調光部材では、第１積層体の第１配向膜に固着した第１ビーズスペーサと、第２積層体の第２配向膜に固着した第２ビーズスペーサとが、一部において重なる可能性がある。第１ビーズスペーサと第２ビーズスペーサとが一部において重なると、重なっている位置における第１積層体と第２積層体との間のスペースは、重なっていない位置における第１積層体と第２積層体との間のスペースより大きくなってしまう。したがって、第１ビーズスペーサと第２ビーズスペーサとが重なっている位置でのスペースにおける液晶層の厚さは、第１ビーズスペーサと第２ビーズスペーサとが重なっていない位置でのスペースにおける液晶層の厚さより、厚くなってしまう。液晶層の一部が局所的に厚くなっていると、局所的な光学特性の差異を生じる。すなわち、従来の調光部材では、ビーズスペーサが重なることで光学的な特異点が生じ、調光部材を介した視界を悪化させる可能性がある。
【００６７】
とりわけ、本実施の形態と同様に、液晶層にＧＨ方式を用いている場合、調光部材の一部において液晶層が厚くなっていると、液晶層が厚くなっている部分において厚さに比例して二色性色素組成物が多くなる。すなわち、液晶層が厚くなっている部分において色が濃く観察され得る。このため、調光部材を介した視界において、色ムラが視認されやすくなり、より視界を悪化させる可能性がある。
【００６８】
一方、本実施の形態では、調光ユニット２０の製造工程において、圧力がかかると、第１ビーズスペーサ５１が第１配向膜３３から、または、第２ビーズスペーサ５２が第２配向膜４３から、脱落するよう、第１ビーズスペーサ５１の第１配向膜３３への固着強さ及び第２ビーズスペーサ５２の第２配向膜４３への固着強さが調整されている。具体的には、第１配向膜３３及び第２配向膜４３の厚さや第１凸部３５及び第２凸部４５の突出高さを適宜に設計することで、ビーズスペーサ５１，５２の配向膜３３，４３への固着強さを調整している。したがって、圧力がかかると、第１ビーズスペーサ５１は第１配向膜３３から、第２ビーズスペーサ５２は第２配向膜４３から、それぞれ脱落しやすくなっている。
【００６９】
調光ユニット２０の製造工程において、第１板材３０ａと第２板材４０ａとを積層させる際に、第１ビーズスペーサ５１と第２ビーズスペーサ５２とが重なって位置している場合、当該第１ビーズスペーサ５１及び第２ビーズスペーサ５２に圧力がかかる。この圧力によって、重なっている第１ビーズスペーサ５１及び第２ビーズスペーサ５２の少なくとも一方を、第１配向膜３３による固着または第２配向膜４３による固着から脱落させることができる。脱落した第１ビーズスペーサ５１または第２ビーズスペーサ５２は、第１配向膜３３及び第２配向膜４３にも固着していない、自由ビーズスペーサ５３となる。
【００７０】
本実施の形態の調光ユニット２０において、ビーズスペーサ５０は、第１配向膜３３に固着した第１ビーズスペーサ５１及び第２配向膜４３に固着した第２ビーズスペーサ５２に加えて、このような自由ビーズスペーサ５３を含んでいる。上述したように、自由ビーズスペーサ５３は、調光ユニット２０の製造工程において調光ユニット２０の厚さ方向に重なって位置し得た第１ビーズスペーサ５１と第２ビーズスペーサ５２の少なくともいずれかが脱落して、生成される。このため、調光ユニット２０において、第１ビーズスペーサ５１と第２ビーズスペーサ５２とが、調光ユニット２０の厚さ方向の重なったまま位置しにくくなっている。結果として、第１ビーズスペーサ５１及び第２ビーズスペーサ５２が重なって位置することに起因した局所的な液晶層２５の厚さの増大を生じにくくすることができる。すなわち、液晶層２５の厚さをほぼ一定にすることができる。具体的には、ビーズスペーサ５０の直径の最大値と最小値との差を、０．１μｍ以下とすることができる。したがって、液晶層２５が局所的に厚くなりにくく、調光ユニット２０を有する調光部材１０を介した視界の悪化を防止することができる。
【００７１】
また、本実施の形態の調光ユニット２０において、ビーズスペーサ５０全体の個数に対する自由ビーズスペーサ５３の個数の割合は、０．１％以上５．０％以下となっている。すなわち、第１配向膜３３及び第２配向膜４３のいずれにも固着していないビーズスペーサ５０は、十分に少なくなっている。言い換えると、ほとんどのビーズスペーサ５０は、第１配向膜３３又は第２配向膜４３に固着されている。したがって、ビーズスペーサ５０の移動により、液晶層２５に気泡等が生じてしまい、調光部材１０を介した視界を悪化させることを、効果的に防止することができる。
【００７２】
さらに、本実施の形態の調光ユニット２０において、第１ビーズスペーサ５１を保持する第１凸部３５及び第２ビーズスペーサ５２を保持する第２凸部４５の突出高さは、０．２μｍ以上０．５μｍ未満であり、第１ビーズスペーサ５１を保持する第１凸部３５以外の第１凸部３５の突出高さ及び第２ビーズスペーサ５２を保持する第２凸部４５以外の第２凸部４５の突出高さは、０．２μｍ以上０．５μｍ未満である。このような場合、第１凸部３５及び第２凸部４５が確実に第１ビーズスペーサ５１及び第２ビーズスペーサ５２を保持しながら、圧力がかかると第１凸部３５及び第２凸部４５から第１ビーズスペーサ５１及び第２ビーズスペーサ５２を容易に脱落させることができる。このため、調光ユニット２０の製造工程において第１ビーズスペーサ５１と第２ビーズスペーサ５２とが重なって位置していたとしても、第１ビーズスペーサ５１または第２ビーズスペーサ５２を脱落させることができる。液晶層２５の厚さをほぼ一定にすることができるため、液晶層２５が局所的に厚くなることによる調光部材１０を介した視界の悪化を防止することができる。
【００７３】
また、第１配向膜３３及び第２配向膜４３の厚さは、６０ｎｍ以上１５０ｎｍ以下である。このような場合、第１配向膜３３及び第２配向膜４３からビーズスペーサ５０を容易に脱落させることができる。したがって、ビーズスペーサ５０が第１配向膜３３に固着した第１ビーズスペーサ５１、第２配向膜４３に固着した第２ビーズスペーサ５２、及び第１配向膜３３及び第２配向膜４３のいずれにも固着していない自由ビーズスペーサ５３を含みやすくなる。このため、液晶層２５の厚さをほぼ一定にすることができ、液晶層２５が局所的に厚くなることによる調光部材１０を介した視界の悪化を防止することができる。
【００７４】
さらに、ビーズスペーサ５０の直径〔μｍ〕に対する、第１ビーズスペーサ５１を保持する第１凸部３５及び第２ビーズスペーサ５２を保持する第２凸部４５の突出高さ〔μｍ〕の比は、２．２％以上５．５％以下である。このような場合、第１凸部３５に保持された第１ビーズスペーサ５１及び第２凸部４５に保持された第２ビーズスペーサ５２は、調光ユニット２０の製造工程において、圧力がかかるまで、脱落しにくい。また、調光ユニット２０の製造工程において、圧力がかかることで、脱落する。したがって、第１ビーズスペーサ５１と第２ビーズスペーサ５２とが重なって位置する場合に、第１ビーズスペーサ５１と第２ビーズスペーサ５２を容易に脱落させながら、適切な個数の第１ビーズスペーサ５１及び第２ビーズスペーサ５２が、第１凸部３５及び第２凸部４５に保持される。このため、液晶層２５の厚さをほぼ一定にすることができ、液晶層２５が局所的に厚くなることによる調光部材１０を介した視界の悪化を防止することができる。
【００７５】
以上のように、本実施の形態の調光ユニット２０は、第１樹脂基材３１と、第１樹脂基材３１に積層された第１配向膜３３と、を有する第１積層体３０と、第２樹脂基材４１と、第２樹脂基材４１に積層された第２配向膜４３と、を有し、且つ、第１配向膜３３と第２配向膜４３とが互いに対面するように配置された、第２積層体４０と、第１積層体３０と第２積層体４０との間に配置され、第１積層体３０及び第２積層体４０の少なくとも一方に設けられた電極３７，４７への電圧の印加により配向が制御される液晶分子を含む液晶層２５と、第１積層体３０と第２積層体４０との間に配置された複数のビーズスペーサ５０と、を備え、ビーズスペーサ５０は、第１配向膜３３に固着した第１ビーズスペーサ５１と、第２配向膜４３に固着した第２ビーズスペーサ５２と、第１配向膜３３及び第２配向膜４３のいずれにも固着していない自由ビーズスペーサ５３と、を含む。このような調光ユニット２０の自由ビーズスペーサ５３は、調光ユニット２０の製造工程において重なって位置し得た第１ビーズスペーサ５１と第２ビーズスペーサ５２が脱落して、形成される。すなわち、このような調光ユニット２０には、重なって位置する第１ビーズスペーサ５１と第２ビーズスペーサ５２とが存在しにくくなり、液晶層２５の厚さをほぼ一定にすることができる。したがって、液晶層２５が局所的に厚くなりにくくなり、調光ユニット２０を有する調光部材１０を介した視界の悪化を抑制することができる。
【００７６】
このような調光部材１０は、図１に示したような自動車１のサンルーフに限らず、リアウィンドウ、サイドウィンドウに用いてもよい。また、自動車以外の、鉄道車両、航空機、船舶、宇宙船等の移動体の窓或いは扉の透明部分に用いてもよい。
【００７７】
さらに、調光部材１０は、移動体以外にも、特に室内と室外とを区画する箇所、例えばビルや店舗、住宅の窓或いは扉の透明部分、建物の窓又は扉、冷蔵庫、展示箱、戸棚等の收納乃至保管設備の窓あるいは扉の透明部分等に使用することもできる。
【００７８】
上述した実施の形態では、調光部材１０は、調光ユニット２０が第１基板１１及び第２基板１２の間に配置されることで、形成されていた。しかしながら、調光部材１０は、１つの基板に調光ユニット２０が貼合されることで、形成されていてもよい。
【００７９】
また、上述した実施の形態では、ビーズスペーサ５０は、配向膜３３，４３に均一に分散されて製造されていた。しかしながら、ビーズスペーサ５０は、配向膜３３，４３に不均一に分散されていてもよい。
【００８０】
さらに、上述した実施の形態では、第１ビーズスペーサ５１を保持する第１凸部３５の突出高さ及び第２ビーズスペーサ５２を保持する第２凸部４５の突出高さが、ともに０．２μｍ以上０．５μｍ未満であり、第１ビーズスペーサ５１を保持する第１凸部３５以外の第１凸部３５の突出高さ及び第２ビーズスペーサ５２を保持する第２凸部４５以外の第２凸部４５の突出高さが、ともに０．２μｍ以上０．５μｍ未満である例を示した。しかしながら、第１ビーズスペーサ５１を保持する第１凸部３５の突出高さ及び第２ビーズスペーサ５２を保持する第２凸部４５の突出高さの少なくとも一方のみが、０．２μｍ以上０．５μｍ未満であってもよい。また、第１ビーズスペーサ５１を保持する第１凸部３５以外の第１凸部３５の突出高さ及び第２ビーズスペーサ５２を保持する第２凸部４５以外の第２凸部４５の突出高さの少なくとも一方が０．２μｍ以上０．５μｍ未満であってもよい。この場合でも、調光ユニット２０の製造工程において第１ビーズスペーサ５１と第２ビーズスペーサ５２とが重なって位置していたとしても、第１ビーズスペーサ５１または第２ビーズスペーサ５２を脱落させることができ、液晶層２５の厚さをほぼ一定にすることができる。
【００８１】
また、上述した実施の形態では、ビーズスペーサ５０の直径〔μｍ〕に対する、第１ビーズスペーサ５１を保持する第１凸部３５の突出高さ〔μｍ〕の比及び第２ビーズスペーサ５２を保持する第２凸部４５の突出高さ〔μｍ〕の比が、ともに２．２％以上５．５％以下である例を示した。しかしながら、ビーズスペーサ５０の直径〔μｍ〕に対する、第１ビーズスペーサ５１を保持する第１凸部３５の突出高さ〔μｍ〕の比及び第２ビーズスペーサ５２を保持する第２凸部４５の突出高さ〔μｍ〕の比の少なくとも一方のみが、２．２％以上５．５％以下であってもよい。この場合でも、調光ユニット２０の製造工程において第１ビーズスペーサ５１と第２ビーズスペーサ５２とが重なって位置していたとしても、第１ビーズスペーサ５１または第２ビーズスペーサ５２を脱落させることができ、液晶層２５の厚さをほぼ一定にすることができる。
【００８２】
さらに、上述した実施の形態では、第１配向膜３３の厚さ及び第２配向膜４３の厚さが、ともに６０ｎｍ以上１５０ｎｍ以下である例を示した。しかしながら、第１配向膜３３の厚さ及び第２配向膜４３の厚さの少なくとも一方のみが、６０ｎｍ以上１５０ｎｍ以下であってもよい。この場合でも、調光ユニット２０の製造工程において第１ビーズスペーサ５１と第２ビーズスペーサ５２とが重なって位置していたとしても、第１ビーズスペーサ５１または第２ビーズスペーサ５２を脱落させることができ、液晶層２５の厚さをほぼ一定にすることができる。
【実施例】
【００８３】
以下、実施例を用いて本発明をより詳細に説明するが、本発明はこの実施例に限定されるものではない。
【００８４】
実施例及び比較例として、第１凸部及び第２凸部の突出高さ、及び、第１配向膜３３及び第２配向膜の厚さの異なる調光ユニットを有する調光部材を用意した。調光ユニットを有する調光部材の製造方法は、上述した製造方法を採用し、実施例及び比較例で共通とした。第１凸部及び第２凸部の突出高さ、及び、第１配向膜及び第２配向膜の厚さ以外の各要素については、実施例及び比較例で共通している。実施例及び比較例の調光部材において、第１樹脂基材及び第２樹脂基材は、厚さ１００μｍのポリカーボネート樹脂からなり、第１配向膜及び第２配向膜はポリイミド樹脂からなる。また、液晶層にはＧＨ方式を用いている。ビーズスペーサは、直径が９．０μｍアクリル樹脂からなる。第１基板及び第２基板は、厚さ１００μｍのポリカーボネート樹脂からなり、第１接合層及び第２接合層は、厚さ２０μｍのアクリルエポキシ樹脂からなる。
【００８５】
実施例における第１凸部及び第２凸部の突出高さは、０．３μｍであり、第１配向膜及び第２配向膜の厚さは、１００ｎｍである。したがって、実施例におけるビーズスペーサの直径に対する第１配向膜及び第２配向膜の厚さの比は、５％である。一方、比較例における第１凸部及び第２凸部の突出高さは、０．７μｍであり、第１配向膜及び第２配向膜の厚さは、２００ｎｍである。したがって、比較例におけるビーズスペーサの直径に対する第１配向膜及び第２配向膜の厚さの比は、８％である。
【００８６】
実施例の調光ユニットは、比較例の調光ユニットより、第１凸部及び第２凸部の突出高さが低くなっており、第１配向膜及び第２配向膜の厚さは薄くなっている。このため、実施例の調光ユニットでは、比較例の調光ユニットより、ビーズスペーサが第１凸部及び第２凸部から脱落しやすくなっている。実際に光学顕微鏡を用いて確認したところ、実施例の調光ユニットの配向膜には、脱落跡としてのビーズスペーサを保持していない周状凸部が確認された。一方、比較例の調光ユニットでは、ビーズスペーサから離間した周状第１凸部は確認されなかった。
【００８７】
実施例の調光ユニットを有する調光部材を介した視界においては、色ムラは観察されなかった。これは、調光ユニットの製造工程において、第１ビーズスペーサと第２ビーズスペーサとが重なった位置において、いずれかのビーズスペーサが脱落して、液晶層の厚さがほぼ一定になったためであると考えられる。一方、比較例の調光ユニットを有する調光部材を介した視界においては、色ムラが観察された。これは、調光ユニットの製造工程において、第１ビーズスペーサと第２ビーズスペーサとが重なった位置において、いずれかのビーズスペーサが脱落せず、液晶層が局所的に厚くなったためであると考えられる。
【符号の説明】
【００８８】
１    自動車
５    サンルーフ
１０    調光部材
１１    第１基板
１２    第２基板
１３    第１接合層
１４    第２接合層
１５    配線
２０    調光ユニット
２５    液晶層
２７    シール材
３０    第１積層体
３１    第１樹脂基材
３３    第１配向膜
３５    第１凸部
３７    第１電極
４０    第２積層体
４１    第２樹脂基材
４３    第２配向膜
４５    第２凸部
４７    第２電極
５０    ビーズスペーサ
５１    第１ビーズスペーサ
５２    第２ビーズスペーサ
５３    自由ビーズスペーサ
【図１】
2020030288.tif 000003
【図２】
2020030288.tif 000004
【図３】
2020030288.tif 000005
【図４】
2020030288.tif 000006
【図５】
2020030288.tif 000007
【図６】
2020030288.tif 000008
【図７】
2020030288.tif 000009
【図８】
2020030288.tif 000010
【図９】
2020030288.tif 000011